(57)【特許請求の範囲】
【請求項１】
第一の遮蔽材と第二の遮蔽材とをそれぞれ第一及び第二のモーターの駆動力で独立して開閉可能とした電動日射遮蔽装置において、
ヘッドボックスから前記第一の遮蔽材が吊下支持されるとともに、前記第一の遮蔽材の下方に前記第二の遮蔽材が吊下支持され、
前記第一のモーターで第一の昇降コードを介して前記第一の遮蔽材を昇降可能とし、前記第二のモーターで第二の昇降コードを介して前記第二の遮蔽材を昇降可能とし、
前記第二のモーターを作動させて前記第二の遮蔽材を開放方向に移動させるとき、前記第一のモーターを作動させて前記第一の遮蔽材の下端部を第二の遮蔽材の下端部に連動して移動させる制御装置を備え、
前記制御装置は、
前記第一の遮蔽材の下端部及び前記第二の遮蔽材の下端部の高さ位置をそれぞれ検出する検出装置と、
前記第二のモーターで第二の遮蔽材を引き上げ方向に駆動して、前記第二の遮蔽材の下端部が前記第一の遮蔽材の下端部の高さ位置まで達したとき、前記第一及び第二のモーターを並行して作動させて前記第二の遮蔽材及び第一の遮蔽材を同時に引き上げるコントローラーと
を備えたことを特徴とする電動日射遮蔽装置。
【請求項２】
第一の遮蔽材と第二の遮蔽材とをそれぞれ第一及び第二のモーターの駆動力で独立して開閉可能とした電動日射遮蔽装置において、
ヘッドボックスから前記第一の遮蔽材が吊下支持されるとともに、前記第一の遮蔽材の下方に前記第二の遮蔽材が吊下支持され、
前記第一のモーターで第一の昇降コードを介して前記第一の遮蔽材を昇降可能とし、前記第二のモーターで第二の昇降コードを介して前記第二の遮蔽材を昇降可能とし、
前記第一のモーターを作動させて前記第一の遮蔽材を閉鎖方向に移動させるとき、前記第二のモーターを作動させて前記第二の遮蔽材の下端部を第一の遮蔽材の下端部に連動して移動させる制御装置を備え、
前記制御装置は、
前記第一の遮蔽材の下端部及び前記第二の遮蔽材の下端部の高さ位置をそれぞれ検出する検出装置と、
前記第一のモーターで第一の遮蔽材を下降方向に駆動して、前記第一の遮蔽材の下端部が前記第二の遮蔽材の下端部の高さ位置まで達したとき、前記第一及び第二のモーターを並行して作動させて前記第二の遮蔽材及び第一の遮蔽材を同時に下降させるコントローラーと
を備えたことを特徴とする電動日射遮蔽装置。
【請求項３】
第一のスクリーンと第二のスクリーンとをそれぞれ第一及び第二のモーターの駆動力で独立して開閉可能とした電動日射遮蔽装置において、
ヘッドボックスから前記第一のスクリーンが吊下支持されるとともに、前記第一のスクリーンの下方に前記第二のスクリーンが吊下支持され、
前記第一のモーターで第一のスクリーンを昇降可能とし、前記第二のモーターで第二のスクリーンを昇降可能とし、
前記第二のモーターを作動させて前記第二のスクリーンを開放方向に移動させるとき、前記第一のモーターを作動させて前記第一のスクリーンの端部を第二のスクリーンの端部に連動して移動させる制御装置を備え、
前記制御装置は、
前記第一のスクリーンと第二のスクリーンの高さ位置をそれぞれ検出する検出装置と、
前記第二のモーターで第二のスクリーンを引き上げ方向に駆動して、前記第二のスクリーンが第一のスクリーンの高さ位置に対しあらかじめ設定した範囲内まで達したとき、前記第一及び第二のモーターを並行して作動させて前記第一及び第二のスクリーンを同時に引き上げるコントローラーと
を備えたことを特徴とする電動日射遮蔽装置。
【請求項４】
第一のスクリーンと第二のスクリーンとをそれぞれ第一及び第二のモーターの駆動力で独立して開閉可能とした電動日射遮蔽装置において、
ヘッドボックスから前記第一のスクリーンが吊下支持されるとともに、前記第一のスクリーンの下方に前記第二のスクリーンが吊下支持され、
前記第一のモーターで第一のスクリーンを昇降可能とし、前記第二のモーターで第二のスクリーンを昇降可能とし、
前記第一のモーターを作動させて前記第一のスクリーンを閉鎖方向に移動させるとき、前記第二のモーターを作動させて前記第二のスクリーンの端部を第一のスクリーンの端部に連動して移動させる制御装置を備え、
前記制御装置は、
前記第一のスクリーンと第二のスクリーンの高さ位置をそれぞれ検出する検出装置と、
前記第一のモーターで第一のスクリーンを下降方向に駆動するとき、前記第一のスクリーンが第二のスクリーンの高さ位置に対しあらかじめ設定した範囲内まで達したとき、前記第一及び第二のモーターを並行して作動させて前記第一及び第二のスクリーンを同時に下降させるコントローラーと
を備えたことを特徴とする電動日射遮蔽装置。
【請求項５】
第一の遮蔽材の下方に第二の遮蔽材が吊下支持された電動日射遮蔽装置の制御方法であって、
前記第一の遮蔽材と前記第二の遮蔽材とをそれぞれ第一及び第二のモーターの駆動力で独立して開閉可能とし、前記第一の遮蔽材の下端部と前記第二の遮蔽材の下端部の高さ位置をそれぞれ検出可能とし、前記第二のモーターを作動させて前記第二の遮蔽材を開放方向に移動させて、前記第二の遮蔽材の下端部の高さ位置が前記第一の遮蔽材の下端部の高さ位置まで達したとき、前記第一のモーターを作動させて前記第一の遮蔽材の下端部を前記第二の遮蔽材の下端部に連動して移動させることを特徴とする電動日射遮蔽装置の制御方法。
【請求項６】
第一の遮蔽材の下方に第二の遮蔽材が吊下支持された電動日射遮蔽装置の制御方法であって、
前記第一の遮蔽材と前記第二の遮蔽材とをそれぞれ第一及び第二のモーターの駆動力で独立して開閉可能とし前記第一の遮蔽材の下端部と前記第二の遮蔽材の下端部の高さ位置をそれぞれ検出可能とし、前記第一のモーターを作動させて前記第一の遮蔽材を閉鎖方向に移動させて、前記第一の遮蔽材の下端部の高さ位置が前記第二の遮蔽材の下端部の高さ位置まで達したとき、前記第二のモーターを作動させて前記第二の遮蔽材の下端部を前記第一の遮蔽材の下端部に連動して移動させることを特徴とする電動日射遮蔽装置の制御方法。
【請求項７】
第一の遮蔽材の下方に第二の遮蔽材が吊下支持された電動日射遮蔽装置の制御方法であって、
前記第一の遮蔽材と前記第二の遮蔽材とをそれぞれ第一及び第二のモーターの駆動力で独立して開閉可能とし、
前記第一の遮蔽材の下端部と前記第二の遮蔽材の下端部の高さ位置をそれぞれ検出可能とし、
前記第二のモーターを作動させて前記第二の遮蔽材を開放方向に移動させて、前記第二の遮蔽材の下端部の高さ位置が前記第一の遮蔽材の下端部の高さ位置まで達したとき、前記第一及び第二のモーターを並行して作動させて第一の遮蔽材の下端部を第二の遮蔽材の下端部に連動して移動させ、
前記第一のモーターを作動させて前記第一の遮蔽材を閉鎖方向に移動させて、前記第一の遮蔽材の下端部の高さ位置が前記第二の遮蔽材の下端部の高さ位置に対しあらかじめ設定した範囲内まで達したとき、前記第一のモーターで第一の遮蔽材の下端部を介して第一の遮蔽材を昇降可能とし、前記第二のモーターで第二の遮蔽材の下端部を介して第二の遮蔽材を昇降可能とさせて、前記第二の遮蔽材の下端部を第一の遮蔽材の下端部に連動して移動させることを特徴とする電動日射遮蔽装置の制御方法。
【発明の詳細な説明】
【技術分野】
【０００１】
この発明は、電動のプリーツスクリーン、横型ブラインド、たくし上げカーテン、ロールブラインド、縦型ブラインド等の日射遮蔽装置で遮蔽材の昇降動作あるいは移送動作を制御する制御装置に関するものである。
【背景技術】
【０００２】
プリーツスクリーンは、上下方向にジグザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、ボトムレールと中間レールとを備え、ヘッドボックスから吊下支持される上部スクリーンの下端に中間レールを取着し、中間レールから吊下支持される下部スクリーンの下端にボトムレールを取着したものがある。上部スクリーンは、例えばレース生地等の光を一部透過させる半透過性の生地で形成され、下部スクリーンは遮光性を備えた生地で形成される。
【０００４】
そして、中間レール及びボトムレールを昇降する昇降装置がそれぞれ備えられ、各操作装置により中間レール及びボトムレールをそれぞれ独立して昇降可能となっている。
このような構成により、ボトムレール及び中間レールを下限まで下降させると、半透過性の上部スクリーンで窓面を覆うことが可能であり、ボトムレールを下限まで下降させるとともに中間レールを上限まで引き上げれば、遮光性を備えた下部スクリーンで窓面を覆うことが可能である。
【０００５】
また、ボトムレールを下限まで下降させるとともに中間レールを中間位置まで下降させれば、窓面の上部を半透過性のスクリーンで覆い、窓面の下部を遮光性のスクリーンで覆うこともできる。
【０００６】
中間レール及びボトムレールを昇降する昇降装置は、ヘッドボックス内に中間レールを昇降するための昇降コードを巻き取る巻取軸と、ボトムレールを昇降するための昇降コードを巻き取る巻取軸とが設けられ、操作装置により各巻取軸をそれぞれ回転駆動するようになっている。
【０００７】
特許文献１には、複数枚のカーテン材をそれぞれモーターの駆動力で昇降するたくし上げカーテンの昇降装置が開示されている。
特許文献２には、ドレープカーテンとレースカーテンとを連動して開閉可能とした電動二重カーテンの開閉装置が開示されている。
【先行技術文献】
【特許文献】
【０００８】
【特許文献１】特開２００８−２８９６４１
【特許文献２】特許４０１３０９６号
【特許文献３】特開２００９−２１２１
【特許文献４】特開２００５−２０７１６１
【発明の概要】
【発明が解決しようとする課題】
【０００９】
特許文献１に記載されたたくし上げカーテンでは、２枚の昇降カーテンをそれぞれ別個のモーターで昇降させる構成であり、各カーテンを上限位置まで巻き取るとマイクロスイッチが押し込まれてカーテンの巻取り動作が停止される。従って、使用者は２枚のカーテンを上限位置あるいは下限位置まで昇降操作する場合には、各カーテンに対応するスイッチをそれぞれ操作する必要がある。
【００１０】
特許文献２に記載された二重カーテンでは、モーターでドレープカーテンを閉方向に移送するとき、先頭ランナーの係合動作によりレースカーテンを閉方向に連動させることができる。しかし、レースカーテンを移送する場合には、ドレープカーテンを連動させることはできず、ドレープカーテンを手動操作により閉方向に移動させる必要がある。
【００１１】
また、前述のようなプリーツスクリーンでは、ボトムレールが昇降範囲の中間位置に吊下支持されている状態で中間レールを下降させるとき、中間レールがボトムレール上に達した状態でさらに中間レールを下降させることはできない。
【００１２】
また、中間レールが昇降範囲の中間位置に吊下支持されている状態でボトムレールを引き上げるとき、ボトムレールが中間レールの吊下位置まで達した後にさらに引き上げて、中間レールを押し上げると、中間レールの昇降コードがヘッドボックス内や積層されたスクリーン間で弛む。すると、中間レールの引き上げ動作時にヘッドボックス内で昇降コードが絡まって中間レールを引き上げ不能となることや、スクリーンからはみ出た昇降コードが美観を損ねることがある。
【００１３】
そこで、ボトムレールが昇降範囲の中間位置に吊下支持されている状態で中間レールを下限まで下降させるときには、まずボトムレールを下限まで下降させ、次いで中間レールを下限まで下降させる必要がある。このため、操作手段を操作して、ボトムレールを下降させる操作と、中間レールを下降させる操作とをそれぞれ別個に行う必要がある。
【００１４】
このため、特許文献３にはボトムレール及び中間レールを引き上げ操作する操作コードとは別の操作コード及びクラッチ装置を備え、中間レールとボトムレールの同時下降操作を可能とした構成が開示されている。また、操作コードを下方へ僅かに引くことによりボトムレールだけを自重降下させる構成も開示されている。
【００１５】
しかし、このような構成では中間レールとボトムレールを同時に下降操作するか、あるいはボトムレールを下限まで下降させた後に中間レールを下降操作する必要があり、ボトムレールを中間位置に保持した状態で中間レールを下降させることはできない。
【００１６】
また、特許文献３では、中間レールが昇降範囲の中間位置に吊下支持されている状態でボトムレールを上限まで引き上げるときには、まず中間レールを上限まで引き上げ、次いでボトムレールを上限まで引き上げる必要がある。このため、ボトムレールを引き上げる操作と、中間レールを引き上げる操作とを順番に行う必要がある。
【００１７】
特許文献４では、ボトムレールが中間レール位置まで引き上げられると、ボトムレールの昇降コードと中間レールの昇降コードとを同時に巻き取るようにした構成が開示されている。このような構成では、ボトムレールの引き上げ操作で中間レールを押し上げるように操作しても、中間レールの昇降コードが弛むことはない。しかし、中間レールを下限まで下降操作する場合には、あらかじめボトムレールを下限まで下降させる必要があるため、操作が煩雑となる。従って、複数の端部材の昇降あるいは移送操作が煩雑となるという問題点がある。
【００１８】
また、特許文献３や特許文献４に示す構成では、２系統の昇降又は移送装置を途中で係合させる構成とするための部品が必要となる。特に、特許文献４に示すように、昇降装置では中間レール用の昇降コード巻取り装置とボトムレール用の昇降コード巻取り装置を歯車等で係合させる必要があり、構造が複雑となる。
【００１９】
この発明の目的は、複数組の遮蔽材の昇降操作あるいは移送操作の操作性を向上させ得る電動日射遮蔽装置を提供することにある。
【課題を解決するための手段】
【００２０】
請求項１では、第一の遮蔽材と第二の遮蔽材とをそれぞれ第一及び第二のモーターの駆動力で独立して開閉可能とした電動日射遮蔽装置において、ヘッドボックスから前記第一の遮蔽材が吊下支持されるとともに、前記第一の遮蔽材の下方に前記第二の遮蔽材が吊下支持され、前記第一のモーターで第一の昇降コードを介して前記第一の遮蔽材を昇降可能とし、前記第二のモーターで第二の昇降コードを介して前記第二の遮蔽材を昇降可能とし、前記第二のモーターを作動させて前記第二の遮蔽材を開放方向に移動させるとき、前記第一のモーターを作動させて前記第一の遮蔽材の下端部を第二の遮蔽材の下端部に連動して移動させる制御装置を備え、前記制御装置は、前記第一の遮蔽材の下端部及び前記第二の遮蔽材の下端部の高さ位置をそれぞれ検出する検出装置と、前記第二のモーターで第二の遮蔽材を引き上げ方向に駆動して、前記第二の遮蔽材の下端部が前記第一の遮蔽材の下端部の高さ位置まで達したとき、前記第一及び第二のモーターを並行して作動させて前記第二の遮蔽材及び第一の遮蔽材を同時に引き上げるコントローラーとを備えた。
【００２１】
請求項２では、第一の遮蔽材と第二の遮蔽材とをそれぞれ第一及び第二のモーターの駆動力で独立して開閉可能とした電動日射遮蔽装置において、ヘッドボックスから前記第一の遮蔽材が吊下支持されるとともに、前記第一の遮蔽材の下方に前記第二の遮蔽材が吊下支持され、前記第一のモーターで第一の昇降コードを介して前記第一の遮蔽材を昇降可能とし、前記第二のモーターで第二の昇降コードを介して前記第二の遮蔽材を昇降可能とし、前記第一のモーターを作動させて前記第一の遮蔽材を閉鎖方向に移動させるとき、前記第二のモーターを作動させて前記第二の遮蔽材の下端部を第一の遮蔽材の下端部に連動して移動させる制御装置を備え、前記制御装置は、前記第一の遮蔽材の下端部及び前記第二の遮蔽材の下端部の高さ位置をそれぞれ検出する検出装置と、前記第一のモーターで第一の遮蔽材を下降方向に駆動して、前記第一の遮蔽材の下端部が前記第二の遮蔽材の下端部の高さ位置まで達したとき、前記第一及び第二のモーターを並行して作動させて前記第二の遮蔽材及び第一の遮蔽材を同時に下降させるコントローラーとを備えた。
【００２５】
請求項３では、第一のスクリーンと第二のスクリーンとをそれぞれ第一及び第二のモーターの駆動力で独立して開閉可能とした電動日射遮蔽装置において、ヘッドボックスから前記第一のスクリーンが吊下支持されるとともに、前記第一のスクリーンの下方に前記第二のスクリーンが吊下支持され、前記第一のモーターで第一のスクリーンを昇降可能とし、前記第二のモーターで第二のスクリーンを昇降可能とし、前記第二のモーターを作動させて前記第二のスクリーンを開放方向に移動させるとき、前記第一のモーターを作動させて前記第一のスクリーンの端部を第二のスクリーンの端部に連動して移動させる制御装置を備え、前記制御装置は、前記第一のスクリーンと第二のスクリーンの高さ位置をそれぞれ検出する検出装置と、前記第二のモーターで第二のスクリーンを引き上げ方向に駆動して、前記第二のスクリーンが第一のスクリーンの高さ位置に対しあらかじめ設定した範囲内まで達したとき、前記第一及び第二のモーターを並行して作動させて前記第一及び第二のスクリーンを同時に引き上げるコントローラーとを備えた。
【００２６】
請求項４では、第一のスクリーンと第二のスクリーンとをそれぞれ第一及び第二のモーターの駆動力で独立して開閉可能とした電動日射遮蔽装置において、ヘッドボックスから前記第一のスクリーンが吊下支持されるとともに、前記第一のスクリーンの下方に前記第二のスクリーンが吊下支持され、前記第一のモーターで第一のスクリーンを昇降可能とし、前記第二のモーターで第二のスクリーンを昇降可能とし、前記第一のモーターを作動させて前記第一のスクリーンを閉鎖方向に移動させるとき、前記第二のモーターを作動させて前記第二のスクリーンの端部を第一のスクリーンの端部に連動して移動させる制御装置を備え、前記制御装置は、前記第一のスクリーンと第二のスクリーンの高さ位置をそれぞれ検出する検出装置と、前記第一のモーターで第一のスクリーンを下降方向に駆動するとき、前記第一のスクリーンが第二のスクリーンの高さ位置に対しあらかじめ設定した範囲内まで達したとき、前記第一及び第二のモーターを並行して作動させて前記第一及び第二のスクリーンを同時に下降させるコントローラーとを備えた。
【００２７】
請求項５では、第一の遮蔽材の下方に第二の遮蔽材が吊下支持された電動日射遮蔽装置の制御方法であって、前記第一の遮蔽材と前記第二の遮蔽材とをそれぞれ第一及び第二のモーターの駆動力で独立して開閉可能とし、前記第一の遮蔽材の下端部と前記第二の遮蔽材の下端部の高さ位置をそれぞれ検出可能とし、前記第二のモーターを作動させて前記第二の遮蔽材を開放方向に移動させて、前記第二の遮蔽材の下端部の高さ位置が前記第一の遮蔽材の下端部の高さ位置まで達したとき、前記第一のモーターを作動させて前記第一の遮蔽材の下端部を前記第二の遮蔽材の下端部に連動して移動させる。
【００２８】
請求項６では、第一の遮蔽材の下方に第二の遮蔽材が吊下支持された電動日射遮蔽装置の制御方法であって、前記第一の遮蔽材と前記第二の遮蔽材とをそれぞれ第一及び第二のモーターの駆動力で独立して開閉可能とし前記第一の遮蔽材の下端部と前記第二の遮蔽材の下端部の高さ位置をそれぞれ検出可能とし、前記第一のモーターを作動させて前記第一の遮蔽材を閉鎖方向に移動させて、前記第一の遮蔽材の下端部の高さ位置が前記第二の遮蔽材の下端部の高さ位置まで達したとき、前記第二のモーターを作動させて前記第二の遮蔽材の下端部を前記第一の遮蔽材の下端部に連動して移動させる。
【００２９】
請求項７では、第一の遮蔽材の下方に第二の遮蔽材が吊下支持された電動日射遮蔽装置の制御方法であって、前記第一の遮蔽材と前記第二の遮蔽材とをそれぞれ第一及び第二のモーターの駆動力で独立して開閉可能とし、前記第一の遮蔽材の下端部と前記第二の遮蔽材の下端部の高さ位置をそれぞれ検出可能とし、前記第二のモーターを作動させて前記第二の遮蔽材を開放方向に移動させて、前記第二の遮蔽材の下端部の高さ位置が前記第一の遮蔽材の下端部の高さ位置まで達したとき、前記第一及び第二のモーターを並行して作動させて第一の遮蔽材の下端部を第二の遮蔽材の下端部に連動して移動させ、前記第一のモーターを作動させて前記第一の遮蔽材を閉鎖方向に移動させて、前記第一の遮蔽材の下端部の高さ位置が前記第二の遮蔽材の下端部の高さ位置に対しあらかじめ設定した範囲内まで達したとき、前記第一のモーターで第一の遮蔽材の下端部を介して第一の遮蔽材を昇降可能とし、前記第二のモーターで第二の遮蔽材の下端部を介して第二の遮蔽材を昇降可能とさせて、前記第二の遮蔽材の下端部を第一の遮蔽材の下端部に連動して移動させる。
【発明の効果】
【００３１】
本発明によれば、複数組の遮蔽材の昇降操作あるいは移送操作の操作性を向上させ得る電動日射遮蔽装置を提供することができる。
【図面の簡単な説明】
【００３２】
【図１】プリーツスクリーンを示す正面図である。
【図２】プリーツスクリーンを示す側面図である。
【図３】プリーツスクリーンを示す平面図である。
【図４】コントローラーを示すブロック図である。
【図５】接点スイッチを示す正面図である。
【図６】通信スイッチを示す正面図である。
【図７】リモコンを示す正面図である。
【図８】プリーツスクリーンの動作を示す正面図である。
【図９】プリーツスクリーンの動作を示す正面図である。
【図１０】プリーツスクリーンの動作を示す正面図である。
【図１１】プリーツスクリーンの動作を示す正面図である。
【図１２】プリーツスクリーンの動作を示す正面図である。
【図１３】プリーツスクリーンの動作を示す正面図である。
【図１４】プリーツスクリーンの動作を示す正面図である。
【図１５】コントローラーの動作を示すフローチャートである。
【図１６】コントローラーの動作を示すフローチャートである。
【図１７】第二の実施形態の動作を示す説明図である。
【図１８】第二の実施形態の動作を示す説明図である。
【発明を実施するための形態】
【００３３】
（第一の実施形態）
以下、この発明を具体化した第一の実施形態を図面に従って説明する。図１〜図３に示す電動プリーツスクリーンは、ヘッドボックス１から上部スクリーン（第一の遮蔽材）２が吊下支持され、上部スクリーン２の下端に中間レール（端部）３が取着されている。前記中間レール３から下部スクリーン（第二の遮蔽材）４が吊下支持され、下部スクリーン４の下端にボトムレール（端部）５が取着されている。
【００３４】
前記上部スクリーン２はレース生地等の半透過性の生地をジグザグ状に折り畳み可能としたものであり、下部スクリーン４は遮光性を備えた生地をジグザグ状に折り畳み可能としたものである。
【００３５】
前記上部スクリーン２の幅方向両側には第一及び第二の昇降コード６，７が挿通され、第一の昇降コード６の下端は前記中間レール３に取着されている。第二の昇降コード７は、中間レール３を貫通し、さらに下部スクリーン４に挿通され、下端が前記ボトムレール５に取着されている。
【００３６】
前記第一及び第二の昇降コード６，７の上端部は、前記ヘッドボックス１内で支持部材８に回転可能に支持される第一及び第二の巻取軸９，１０にそれぞれ巻着されている。すなわち、図３に示すように、第一及び第二の巻取軸９，１０はヘッドボックス１内において前記第一及び第二の昇降コード６，７の上方位置で水平方向に並列する状態で支持部材８に回転可能に支持されている。
【００３７】
そして、第一の昇降コード６の上端部が第一の巻取軸９に巻着され、第二の昇降コード７の上端部が第二の巻取軸１０に巻着され、第一及び第二の昇降コード６，７は、第一及び第二の巻取軸９，１０に対し互いに逆方向に巻着されている。また、第一及び第二の昇降コード６，７は、第一及び第二の巻取軸９，１０の回転に基づいて、螺旋状に巻き取られ、あるいは巻戻されるようになっている。
【００３８】
前記第一の巻取軸９には六角棒状の第一の駆動軸１１が相対回転不能に挿通され、第二の巻取軸１０には同じく六角棒状の第二の駆動軸１２が相対回転不能に挿通されている。そして、第一の駆動軸１１が前記第一の昇降コード６の巻取り方向に回転されると、第一の巻取軸９に第一の昇降コード６が巻き取られ、第二の駆動軸１２が前記第二の昇降コード７の巻取り方向に回転されると、第二の巻取軸１０に第二の昇降コード７が巻き取られるようになっている。
【００３９】
前記ヘッドボックス１の一方の端部には、第一及び第二のモーター１３，１４が配設され、第一のモーター１３の出力軸に前記第一の駆動軸１１が連結され、第二のモーター１４の出力軸に前記第二の駆動軸１２が連結されている。そして、第一及び第二のモーター１３，１４の作動により、前記第一及び第二の駆動軸１１，１２が第一及び第二の昇降コード６，７の巻取り方向あるいは巻戻し方向に回転される。
【００４０】
前記ヘッドボックス１の近傍には、前記第一及び第二のモーター１３，１４の動作を制御するコントローラー（制御装置）１５が配設され、そのコントローラー１５には壁面等に取着される操作スイッチ１６が接続される。この操作スイッチ１６は、操作ボタンの押圧操作による接点信号を出力する接点スイッチか、あるいは操作ボタンの押圧操作に基づいて指令信号を生成して出力する通信スイッチで構成される。また、コントローラー１５は他の電動プリーツカーテンのコントローラーに接続され、一つの通信スイッチの操作により複数の電動プリーツスクリーンを一括操作可能となっている。
【００４１】
前記コントローラー１５にはリモコン受光部１７が接続され、リモコン１８から送信される赤外線信号を受信可能となっている。
図１及び図３に示すように、前記ヘッドボックス１の他方の端部には上限リミットスイッチ１９が配設されている。そして、前記中間レール３が上限まで引き上げられたとき、中間レール３上に折り畳まれた上部スクリーン２で上限リミットスイッチ１９が押圧されて、上限リミットスイッチ１９から前記コントローラー１５に検出信号が出力されるようになっている。
【００４２】
図２に示すように、前記第一及び第二の昇降コード６，７の挿通位置において、前記上部スクリーン２及び下部スクリーン４の背面側にはピッチ保持コード２０が配設されている。このピッチ保持コード２０は、上部スクリーン２と下部スクリーン４の折り目のピッチを一定にするように動作する。
【００４３】
次に、前記コントローラー１５と操作スイッチ１６及びリモコン１８の電気的構成を図４に従って説明する。前記コントローラー１５の電源部２１は、商用交流電源を所定電圧の直流電源に変換し、その直流電源がマイクロコンピューター部２２及びその他の電気回路部に供給される。
【００４４】
接点入力部２３は、前記操作スイッチ１６として接点スイッチ２４が使用される場合にその接点スイッチ２４から出力信号が入力され、その出力信号を前記マイクロコンピューター部２２に出力する。
【００４５】
指令信号入力部２５は、前記操作スイッチ１６として通信スイッチ２６が使用される場合にその通信スイッチ２６から指令信号が入力され、その指令信号を前記マイクロコンピューター部２２に出力する。また、応答信号出力部２７は前記通信スイッチ２６の指令信号に対するマイクロコンピューター部２２の応答信号を出力する。
【００４６】
前記通信スイッチ２６は、マイクロコンピューター部２８と、指令信号出力部２９、応答信号入力部３０、機器番号設定スイッチ３１、キー入力部３２、ＥＥＰＲＯＭ３３を備える。
【００４７】
マイクロコンピューター部２８は、あらかじめ設定されたプログラムに基づいて動作する。指令信号出力部２９は、マイクロコンピューター部２８から出力される指令信号を前記コントローラー１５の指令信号入力部２５に出力する。
【００４８】
応答信号入力部３０は、前記応答信号出力部２７から出力される応答信号を受信してマイクロコンピューター部２８に入力する。
機器番号設定スイッチ３１は、多数の電動プリーツスクリーンを一括して操作する場合に、この通信スイッチ２６で一括操作する電動プリーツスクリーンのアドレスや、通信スイッチ自身のアドレスを設定可能としたディップスイッチで構成される。
【００４９】
キー入力部３２は、電動プリーツスクリーンを昇降操作するための各種キーが設けられる。ＥＥＰＲＯＭ３３は、上部スクリーン２や下部スクリーン４の昇降位置の現在位置等を前記コントローラー１５から読み出して一時的に格納する場合に使用される。
【００５０】
前記コントローラー１５内の機器番号及び種類設定部３４は、当該電動プリーツスクリーンのアドレスや種類を設定可能としたディップスイッチで構成される。
リモコン入力部３５は、前記リモコン受光部１７の受信信号を指令信号に変換して前記マイクロコンピューター部２２に出力する。
【００５１】
ＥＥＰＲＯＭ３６は、当該電動プリーツスクリーンの上部スクリーン２や下部スクリーン４の昇降位置の現在位置等を一時的に格納する場合に使用される。
障害物検出スイッチ３７ａは、前記ヘッドボックス１内に設けられ、中間レール３の下降動作時に中間レール３の下降動作が障害物により妨げられているか否かを前記第一の昇降コード６に弛みが生じたか否かで検出するものであり、その検出信号が障害物検知部３８ａを介してマイクロコンピューター部２２に出力される。
【００５２】
障害物検出スイッチ３７ｂは、前記ヘッドボックス１内に設けられ、ボトムレール５の下降動作時にボトムレール５の下降動作が障害物により妨げられているか否かを前記第二の昇降コード７に弛みが生じたか否かで検出するものであり、その検出信号が障害物検知部３８ｂを介してマイクロコンピューター部２２に出力される。
【００５３】
前記上限リミットスイッチ１９の検出信号は上限検知部３９を介してマイクロコンピューター部２２に出力される。
下生地用高さエンコーダー（検出装置）４０は、前記第二のモーター１４内に設けられ、第二のモーター１４の出力軸の回転にともなうパルス信号を高さ検知部４１に出力する。高さ検知部４１は、そのパルス信号をカウントしたカウント値をマイクロコンピューター部２２に出力する。そして、マイクロコンピューター部２２は、そのカウント値に基づいて前記ボトムレール５の昇降位置を認識可能となっている。
【００５４】
上生地用高さエンコーダー（検出装置）４２は、前記第一のモーター１３内に設けられ、第一のモーター１３の出力軸の回転にともなうパルス信号を高さ検知部４３に出力する。高さ検知部４３は、そのパルス信号をカウントしたカウント値をマイクロコンピューター部２２に出力する。そして、マイクロコンピューター部２２は、そのカウント値に基づいて前記中間レール３の昇降位置を認識可能となっている。
【００５５】
マイクロコンピューター部２２には、伝送路信号送信部４４及び伝送路信号受信部４５が接続され、他のコントローラーが接続されるとき、伝送路信号送信部４４及び伝送路信号受信部４５を介して制御信号の送受信動作が行われる。
【００５６】
マイクロコンピューター部２２には、前記第一及び第二のモーター１３，１４を駆動する駆動部４６，４７が接続される。そして、第一及び第二のモーター１３，１４の動作はマイクロコンピューター部２２により駆動部４６，４７を介して制御されるようになっている。
【００５７】
図５は、前記接点スイッチ２４のボタンレイアウトの一例を示す。中間レール３を引き上げて上部スクリーン２を引き上げるための上昇ボタン５１と、中間レール３を下降させて上部スクリーン２を下降させるための下降ボタン５２と、中間レール３の昇降動作を停止させる停止ボタン５３が配設されている。同様に、ボトムレール５を引き上げて下部スクリーン４を引き上げるための上昇ボタン５４と、ボトムレール５を下降させて下部スクリーン４を下降させるための下降ボタン５５とボトムレール５の昇降動作を停止させる停止ボタン５６が配設されている。
【００５８】
そして、各ボタンの押圧操作による接点開閉信号が操作信号として接点スイッチ２４から前記接点入力部２３に出力され、マイクロコンピューター部２２はその操作信号に基づいて前記第一及び第二のモーター１３，１４の動作を制御する。
【００５９】
図６は、前記通信スイッチ２６のボタンレイアウトの一例を示す。アドレス選択ボタン５７ａ〜５７ｄは、当該通信スイッチ２６で昇降操作を行う電動プリーツスクリーンのアドレスを選択可能であり、例えば４台の電動プリーツスクリーンの中から各ボタン毎に特定の１台を設定して選択可能である。
【００６０】
全選択ボタン５８は、この通信スイッチ２６で選択し得る電動プリーツスクリーンを一括操作する場合に使用され、その押圧操作により複数台の電動プリーツスクリーンを一括操作可能となる。
【００６１】
生地選択ボタン５９ａ，５９ｂは、上部スクリーン２と下部スクリーン４のいずれを昇降操作するかを選択する場合に使用され、生地選択ボタン５９ａを押圧すると、発光ダイオード６０ａが点灯され、中間レール３を昇降して上部スクリーン２を昇降可能となる。また、生地選択ボタン５９ｂを押圧すると、発光ダイオード６０ｂが点灯され、ボトムレール５を昇降して下部スクリーン４を昇降可能となる。
【００６２】
上昇ボタン６１は、選択された上部スクリーン２あるいは下部スクリーン４の引き上げ操作を行う場合に使用され、下降ボタン６２は選択された上部スクリーン２あるいは下部スクリーン４の下降操作を行う場合に使用される。
【００６３】
また、停止ボタン６３は上部スクリーン２及び下部スクリーン４の引き上げ操作あるいは下降操作を停止する場合に使用される。
図７は、前記リモコン１８のボタンレイアウトの一例を示す。このリモコン１８には前記通信スイッチ２６と同様なボタンがレイアウトされ、その機能も同様であるので、通信スイッチ２６の各ボタンと同一符号を付して詳細な説明を省略する。また、リモコン１８のケース上端部には赤外線出力部６４が設けられている。
【００６４】
次に、上記のように構成された電動プリーツスクリーンの動作を図８〜図１６に従って説明する。
この電動プリーツスクリーンは、接点スイッチ２４、通信スイッチ２６、リモコン１８のいずれかを操作して、中間レール３とボトムレール５を独立して昇降可能である。
【００６５】
図１５は、中間レール３の下降動作時のコントローラー１５の動作を示す。中間レール３を下降させるために下降ボタンが押圧されると（ステップ１）、マイクロコンピューター部２２は接触パルス状態か否かを検出する（ステップ２）。
【００６６】
接触パルス状態とは、ボトムレール５で下部スクリーン４を全て積層状態に畳み込んで中間レール３に重なった状態であり、マイクロコンピューター部２２は下生地用高さエンコーダー４０と上生地用高さエンコーダー４２の出力信号に基づいて、接触パルス状態であるか否かを判定する。
【００６７】
その判定処理は、下生地用高さエンコーダー４０と上生地用高さエンコーダー４２から出力されるパルス信号のパルス数に基づいて、中間レール３とボトムレール５の高さ位置が下部スクリーン４の積層高さ分のパルス数の差に達したか否かを判定することにより行われる。また、昇降コードの伸びの影響を考慮して、下部スクリーン４の積層高さ分のパルス数差より若干のマージンを持たせたパルス数差を設定してもよい。
【００６８】
そして、接触パルス状態である場合には中間レール３とともにボトムレール５を同時に下降させ（ステップ３）、停止ボタンが押圧されるか、あるいはボトムレール５が下限位置に達するまで下降させる。
【００６９】
例えば、図８に示すように中間レール３及びボトムレール５が上限まで引き上げられている状態で、中間レール３を下降させるために下降ボタンが押圧されると、第一のモーター１３とともに第二のモーター１４が作動して、中間レール３とともにボトムレール５が下降する。
【００７０】
そして、停止ボタンが押されない限り、図１１に示す状態を経て、図１２に示すようにボトムレール５及び中間レール３が下限まで下降する。
ステップ２において、接触パルス状態ではない場合には、ステップ４に移行して、中間レール３の下降動作を開始する。そして、中間レール３がボトムレール５上に達して接触パルス状態となると（ステップ５）、中間レール３とともにボトムレール５が下降する（ステップ６）。
【００７１】
例えば、図９に示すように、中間レール３が上限に位置し、ボトムレール５が中間位置にある状態で、中間レール３を下降させるために下降ボタンが押圧されると、中間レール３が下降する。
【００７２】
そして、図１１に示すように、中間レール３がボトムレール５上に達して接触パルス状態となると、中間レール３とボトムレール５が同時に下降し、停止ボタンが押圧されない限り、図１２に示すようにボトムレール５及び中間レール３が下限まで下降する。
【００７３】
ステップ４における中間レール３の下降動作中に、接触パルス状態になる前に停止ボタンが押圧されると（ステップ７）、中間レール３の下降動作が停止される（ステップ８）。また、中間レール３の下降動作中に、接触パルス状態になる前に中間レール３が下限に達したとき（ステップ９）、中間レール３の下降動作が停止される（ステップ１０）。
【００７４】
図１６は、ボトムレール５の引き上げ動作時のコントローラー１５の動作を示す。ボトムレール５を引き上げるために上昇ボタンが押圧されると（ステップ１１）、マイクロコンピューター部２２は接触パルス状態か否かを検出する（ステップ１２）。
【００７５】
そして、接触パルス状態である場合にはボトムレール５とともに中間レール３を同時に引き上げ（ステップ１３）、停止ボタンが押圧されるか、あるいはボトムレール５が上限位置に達するまで引き上げる。
【００７６】
例えば、図１２に示すように中間レール３及びボトムレール５が下限まで下降している状態で、ボトムレール５を引き上げるために上昇ボタンが押圧されると、第二のモーター１４とともに第一のモーター１３が作動して、ボトムレール５とともに中間レール３を引き上げる。
【００７７】
そして、停止ボタンが押されない限り、図１１に示す状態を経て、図８に示すようにボトムレール５及び中間レール３を上限まで引き上げる。
ステップ１２において、接触パルス状態ではない場合には、ステップ１４に移行して、ボトムレール５の引き上げ動作を開始する。そして、ボトムレール５が中間レール３を押し上げる位置に達して接触パルス状態となると（ステップ１５）、ボトムレール５とともに中間レール３が引き上げられる（ステップ１６）。
【００７８】
例えば、図１３に示すように、ボトムレール５が下限に位置し、中間レール３が中間位置にある状態で、ボトムレール５を引き上げるために上昇ボタンが押圧されると、ボトムレール５が引き上げられる。
【００７９】
そして、図１４に示す状態を経て、図１１に示すようにボトムレール５が中間レール３を押し上げる状態となって接触パルス状態となると、ボトムレール５と中間レール３が同時に引き上げられ、停止ボタンが押圧されない限り、図８に示すようにボトムレール５及び中間レール３が上限まで引き上げられる。
【００８０】
ステップ１４におけるボトムレール５の引き上げ動作中に、接触パルス状態になる前に停止ボタンが押圧されると（ステップ１７）、ボトムレール５の引き上げ動作が停止される（ステップ１８）。また、ボトムレール５の引き上げ動作中に、接触パルス状態になる前にボトムレール５が上限に達したとき（ステップ１９）、ボトムレール５の引き上げ動作が停止される（ステップ２０）。
【００８１】
上記のように構成された電動プリーツスクリーンでは、次に示す作用効果を得ることができる。
（１）操作スイッチの操作により、中間レール３及びボトムレール５を独立して昇降操作することができる。
（２）中間レール３を下降させるとき、接触パルス状態となると、第一及び第二のモーター１３，１４を並行に作動させて、中間レール３とともにボトムレール５を自動的に下降させることができる。従って、中間レール３を下降させる下降ボタンの操作により、中間レール３とボトムレール５を下限まで自動的に下降させることができる。
（３）ボトムレール５を引き上げるとき、接触パルス状態となると、第一及び第二のモーター１３，１４を並行に作動させて、ボトムレール５とともに中間レール３を自動的に引き上げることができる。従って、ボトムレール５を引き上げる上昇ボタンの操作により、ボトムレール５と中間レール３を上限まで自動的に引き上げることができる。
（４）中間レール３の下降操作及びボトムレール５の引き上げ操作を容易に行うことができる。
（第二の実施形態）
図１７及び図１８は、前記第一の実施形態のコントローラー１５を二重ロールスクリーンに使用した場合を示す。
【００８２】
図１７において、室内側に垂下される第一のスクリーン７１は遮光性に優れたドレープ生地であり、第一の巻取軸７３から垂下される。室外側に垂下される第二のスクリーン７２は透光性を備えたレース生地であり、第二の巻取軸７４から垂下される。そして、第一及び第二の巻取軸７３，７４はそれぞれ独立したモーターで回転駆動され、各モーターの動作が接点スイッチ２４の操作により前記コントローラー１５により制御される。
【００８３】
接点スイッチ２４の上昇ボタン５１と、下降ボタン５２と、停止ボタン５３は第一のスクリーン７１を操作するボタンであり、上昇ボタン５４と、下降ボタン５５と、停止ボタン５６は第二のスクリーン７２を操作するボタンである。
【００８４】
前記第一及び第二の巻取軸７３，７４には、その回転量を検出するエンコーダーが備えられている。
コントローラー１５の制御による第一及び第二のスクリーン７１，７２の昇降動作を説明する。図１７に示すように、第一及び第二のスクリーン７１，７２が下限まで下降した状態で上昇ボタン５１を押圧すると、第一のスクリーン７１が引き上げられる。第一のスクリーン７１を所望高さまで引き上げられた状態で停止ボタン５３を押圧すると、第一のスクリーン７１が所望高さに保持される。
【００８５】
次いで、上昇ボタン５４を押圧すると、第二のスクリーン７２が引き上げられる。そして、第二のスクリーン７２の高さが第一のスクリーン７１の高さ以上となると、第一のスクリーン７１も第二のスクリーン７２に追随して自動的に引き上げられ、第二のスクリーン７２を上限まで引き上げれば、第一のスクリーン７１も上限まで引き上げられる。
【００８６】
エンコーダーの分解能等を向上させて、第二のスクリーン７２が第一のスクリーン７１と同一高さまで引き上げられたとき、第一のスクリーン７１が第二のスクリーン７２に追随して引き上げられるようにしてもよい。
【００８７】
図１８に示すように、第一及び第二のスクリーン７１，７２が上限まで引き上げられている状態で下降ボタン５５が押圧されると、第二のスクリーン７２が下降する。第二のスクリーン７２を所望高さまで下降した状態で停止ボタン５６を押圧すると、第二のスクリーン７２が所望高さに保持される。
【００８８】
次いで、下降ボタン５２を押圧すると、第一のスクリーン７１が下降する。そして、第一のスクリーン７１の高さが第二のスクリーン７２の高さ以下となると、第二のスクリーン７２も第一のスクリーン７１に追随して自動的に下降し、第一のスクリーン７１を下限まで下降させれば、第二のスクリーン７２も下限まで下降する。
【００８９】
エンコーダーの分解能等を向上させて、第一のスクリーン７１が第二のスクリーン７２と同一高さまで下降したとき、第二のスクリーン７２が第一のスクリーン７１に追随して下降するようにしてもよい。
【００９０】
上記のようなロールスクリーンでは、次に示す作用効果を得ることができる。
（１）第二のスクリーン７２を引き上げるとき、自動的に第一のスクリーン７１を追随して引き上げることができる。従って、レース生地の第二のスクリーン７２を第一のスクリーン７１より上方へ引き上げるとき、常に第一のスクリーン７１を第二のスクリーン７２と同一高さまで引き上げることができる。第二のスクリーン７２を引き上げるときは、第一及び第二のスクリーン７１，７２をともに引き上げて窓面を開放したいときであるので、このような場合の操作性を向上させることができる。
（２）第一のスクリーン７１を下降させるとき、自動的に第二のスクリーン７２を追随して下降させることができる。従って、ドレープ生地の第一のスクリーン７１を第二のスクリーン７２より下方まで下降させるとき、常に第二のスクリーン７２を第一のスクリーン７１と同一高さまで下降させることができる。第一のスクリーン７１を下限まで下降させるときは、第一及び第二のスクリーン７１，７２をともに下降させて窓面を全閉状態にしたいときであるので、このような場合の操作性を向上させることができる。
【００９１】
上記実施形態は、以下の態様で実施してもよい。
・電動のプリーツスクリーン、二重ロールブラインドの他、中間レールとボトムレールを備えた電動横型ブラインド、二重たくし上げカーテン、縦型ブラインド等に上記のようなコントローラーを応用することもできる。
・カーテンレール内を移動する無端状の２組のコードをそれぞれモーターで駆動し、そのコードにそれぞれカーテンの先頭ランナーを取着して、２枚のカーテンをカーテンレールに沿って移送可能とした電動カーテンレールを上記のようなコントローラーで制御してもよい。各モーターの回転量を検出するエンコーダーで各先頭ランナーの位置を検出し、一方のカーテンの移送操作に他方のカーテンを追随させるようにする。
・中間レールを上下方向に複数本吊下支持し、ヘッドボックスと上段の中間レール、各中間レール間及び下段の中間レールとボトムレールとの間にそれぞれスクリーンを配設し、各中間レール及びボトムレールをそれぞれ独立して昇降操作可能とした電動プリーツスクリーンに、上記のようなコントローラーを応用してもよい。
・第二の実施形態で、第一及び第二のスクリーン７１，７２の高さを判定するとき、エンコーダーの出力パルスの１パルス単位で判定するのではなく、任意の複数パルス毎に判定するようにしてもよい。このような構成により、任意の複数パルス毎に第一若しくは第二のスクリーンの追随動作が開始されるので、操作者の意図より早く追随動作が開始されてしまうことを防止することができる。
・モーターにステッピングモーターを使用して、中間レールやボトムレール等の位置制御を行ってもよい。
【符号の説明】
【００９２】
１…ヘッドボックス、２…第一の遮蔽材（上部スクリーン）、３…端部（中間レール）、４…第二の遮蔽材（下部スクリーン）、５…端部（ボトムレール）、１３…第一のモーター、１４…第二のモーター、１５…制御装置（コントローラー）、４０…検出装置（下生地用高さエンコーダー）、４２…検出装置（上生地用高さエンコーダー）。
【図１】
0005572365.tif 000002
【図２】
0005572365.tif 000003
【図３】
0005572365.tif 000004
【図４】
0005572365.tif 000005
【図５】
0005572365.tif 000006
【図６】
0005572365.tif 000007
【図７】
0005572365.tif 000008
【図８】
0005572365.tif 000009
【図９】
0005572365.tif 000010
【図１０】
0005572365.tif 000011
【図１１】
0005572365.tif 000012
【図１２】
0005572365.tif 000013
【図１３】
0005572365.tif 000014
【図１４】
0005572365.tif 000015
【図１５】
0005572365.tif 000016
【図１６】
0005572365.tif 000017
【図１７】
0005572365.tif 000018
【図１８】
0005572365.tif 000019